(57)【要約】本発明は、斜視自動検出機構を開示し、筐体、及び前記筐体に設置される接眼レンズを含み、前記筐体内に前記接眼レンズと同一軸線に位置するレンズ機構が設置される。ここで、前記レンズ機構には、屈折角度を調整するための回転機構が設置される。レンズ機構で構成され、０〜５０プリズム度を自動的に制御して生成すること、体積が小さく、重量が軽く、その重量が一般的なガラスで製造された三角プリズムブロックより軽いこと、製造コストが低く、価格が行ミラーの約５分の１であることは、本発明の有益な技術的効果になっている。ここから分かるように、本発明の普及および応用は、三角プリズム分光検出又は分散原理に基づく様々な設備、機器を大幅に改善でき、かつ関連する機器、設備がインテリジェントな方向に発展することを支援する。【選択図】図１
2021509827.tif 000002
【特許請求の範囲】
【請求項１】
斜視自動検出機構であって、
筐体、及び前記筐体に設置される接眼レンズを含み、
前記筐体内に前記接眼レンズと同一軸線に位置するレンズ機構が設置される、
ここで、前記レンズ機構には屈折角度を調整するための回転機構が設置される、ことを特徴とする
斜視自動検出機構。
【請求項２】
前記レンズ機構は第一レンズ群、第二レンズ群、可動接続部品及び充填液を含み、
前記第一レンズ群、前記第二レンズ群はそれぞれ前記可動接続部品の両端に設置され、かつ前記第一レンズ群、前記第二レンズ群と前記可動接続部品により内部密閉空間が形成される、
前記回転機構は前記第二レンズ群に接続され、前記回転機構が回転する時、前記第二レンズ群は同期に回転する、
前記充填液は前記密閉空間内に満たされる、ことを特徴とする
請求項１に記載の斜視自動検出機構。
【請求項３】
前記第一レンズ群は第一密閉カバー及びその中に取り付けられる第一レンズで構成され、前記第二レンズ群は第二密閉カバー及びその中に取り付けられる第二レンズで構成される、
前記可動接続部品はそれぞれ前記第一密閉カバー、前記第二密閉カバーに密閉して接続される、
前記回転機構は前記第二密閉カバーに接続される、ことを特徴とする
請求項２に記載の斜視自動検出機構。
【請求項４】
前記回転機構はモーター、ウォーム、ウォームギア、回転台及び同期ベルトを含み、前記同期ベルトの両端はそれぞれ前記モーターの回転軸、前記ウォームの一端に嵌設され、前記ウォームギアは前記ウォームに噛み合って接続され、前記回転台は前記ウォームギアの底部に設置される、
前記第二レンズ群は前記回転台に接続される、ことを特徴とする
請求項２又は３に記載の斜視自動検出機構。
【請求項５】
前部ハウジングと後部ハウジングで構成されるハウジング、前記ハウジングに設置される内部ハウジング及び前記接眼レンズの位置に対応するウィンドウを含み、
取得された視力検査データを収集、分析、かつ出力するために用いられるデータ収集装置、
前記レンズ機構の一側に設置され、少なくとも片目を遮蔽し、もう一方の片目が検査されることを保証するために用いられる遮蔽装置、
及び前記レンズ機構、前記遮蔽装置と前記データ収集装置の協同作業を制御するために用いられる制御装置、が設置される、ことを特徴とする
請求項１に記載の斜視自動検出機構を有する斜視検査機器。
【請求項６】
前記データ収集装置は少なくとも１つのカメラ及び若干のガイドライトを含み、前記カメラ、若干の前記ガイドライトはそれぞれ前記内部ハウジングに設置される、
ここで、前記カメラ、前記接眼レンズは前記レンズ機構と同一軸線に位置し、若干の前記ガイドライトは前記カメラを円心として外部へ円周式に分布して設置される、ことを特徴とする
請求項５に記載の斜視検査機器。
【請求項７】
前記遮蔽装置は回転モーター、遮蔽板及び位置制限センサーを含み、前記回転モーターの回転軸は遮蔽板に接続され、前記遮蔽板に位置制限ストリップが設置され、前記遮蔽板の状態は開いているか又は遮蔽されている時、前記位置制限ストリップは前記位置制限センサー内に位置する、ことを特徴とする
請求項５に記載の斜視検査機器。
【請求項８】
前記制御装置はマイクロプロセッサ及びディスプレイを含み、前記マイクロプロセッサはそれぞれ前記レンズ機構、前記遮蔽装置と前記データ収集装置に電気的に接続される、
前記ディスプレイは前記検査データを表示するために用いられる、ことを特徴とする
請求項５に記載の斜視検査機器。
【請求項９】
前記方法は、
Ｓ１ 両目がウィンドウから観察し、且つレンズ機構を通してデータ収集装置を注視する、
Ｓ２ 遮蔽装置は検査する必要のない片目を遮蔽し、もう一方の検査される片目はデータ収集装置を注視する、
Ｓ３ レンズ機構は起動し、かつ必要に応じて屈折角度を調整する、
Ｓ４ データ収集装置は検査される片目の視像データを収集する、
Ｓ５ 収集後のデータを出力する、ステップを含む、ことを特徴とする
請求項５に記載の斜視検査機器の検査方法。
【請求項１０】
前記検査される片目は検査中に前記データ収集装置の点滅ガイドライトを注視する、
前記屈折角度は複数回、連続して調整することができる、ことを特徴とする
請求項９に記載の斜視検査機器の検査方法。
【発明の詳細な説明】
【技術分野】
【０００１】
本発明は目の視力検査技術分野に関し、具体的には斜視自動検出機構、該機構を有する検査機器及び検査方法に関する。
【背景技術】
【０００２】
斜視とは、両目が同時にターゲットを注視できないことを指し、外眼筋疾患に属し、共同性斜視と麻痺性斜視の2つのカテゴリに分けることができる。一般的な斜視検査法には、両眼視機能の検査、屈折検査、眼位と斜視角度の測定、及び眼球の動きの検査などが含まれており、目の外観検査、視力検査及び屈折検査、遮蔽テスト、眼球の動きの検査、斜視角の検査方法により、斜視であるかどうかを判断できる。
【０００３】
さらに言えば、一般的には三角プリズムを使用して斜視検査を行う。三角プリズムは断面が三角形の透明体又は光学機器である。三角プリズムには通過したビームをその先端に向かって移動させ、且つ通過時に多色光を分散させるという特徴があるため、斜視検査に応用されている。
【０００４】
現在、市場での三角プリズムには2つの形式があり、１つはブロック型三角プリズムであり、プリズム度数は１から８０プリズム度までの任意の数字であってもよいが、１つの三角プリズムは１種類のプリズム度だけで、度数を変更することはできない。もう１つはミラー行式三角プリズムであり、即ち複数の異なるプリズム度数のプリズムブロックでプリズム度数の最小から最大の順に組み合わせて構成され、外観は段階状の透明なミラー行を呈し、ここで各プリズムブロックのプリズム度も一定である。
三角プリズムを使用して分散、分光テスト又は斜視眼の検査などを行う場合、一般的に満足のいく結果を得るには、複数のブロック三角プリズムを使用するか又は三角プリズムのプリズム行を変更する必要がある。三角プリズムの数量が多いか又は全体の体積が大きく、使用しにくく、かつコストが高いなどの欠点がある。
【発明の概要】
【発明が解決しようとする課題】
【０００５】
現在の技術の不足に対し、本発明の目的は、斜視自動検出機構、該機構を有する検査機器及び検査方法を提供することであり、具体的には、設置されたレンズ機構と回転機構により連続的な屈折角度の調整を実現し、且つデータ収集装置によって視像データを撮影して出力し、スマート化の斜視検査を最大限に実現する。
【課題を解決するための手段】
【０００６】
上記目的を実現するために、本発明は以下の技術的解決手段を用いる：
斜視自動検出機構であって、筐体、及び前記筐体に設置される接眼レンズを含み、前記筐体内に前記接眼レンズと同一軸線に位置するレンズ機構が設置される。ここで、前記レンズ機構には屈折角度を調整するための回転機構が設置される。
【０００７】
説明すべきは、前記レンズ機構は第一レンズ群、第二レンズ群、可動接続部品及び充填液を含み、前記第一レンズ群、前記第二レンズ群はそれぞれ前記可動接続部品の両端に設置され、かつ前記第一レンズ群、前記第二レンズ群と前記可動接続部品により内部密閉空間が形成される、前記回転機構は前記第二レンズ群に接続され、前記回転機構が回転する時、前記第二レンズ群は同期に回転する、前記充填液は前記密閉空間内に満たされる、ことである。
【０００８】
説明すべきは、前記第一レンズ群は第一密閉カバー及びその中に取り付けられる第一レンズで構成され、前記第二レンズ群は第二密閉カバー及びその中に取り付けられる第二レンズで構成される、前記可動接続部品はそれぞれ前記第一密閉カバー、前記第二密閉カバーに密閉して接続される、前記回転機構は前記第二密閉カバーに接続される、ことである。
【０００９】
説明すべきは、前記回転機構はモーター、ウォーム、ウォームギア、回転台及び同期ベルトを含み、前記同期ベルトの両端はそれぞれ前記モーターの回転軸、前記ウォームの一端に嵌設され、前記ウォームギアは前記ウォームに噛み合って接続され、前記回転台は前記ウォームギアの底部に設置される、前記第二レンズ群は前記回転台に接続される、ことである。
好ましい技術的解決手段として、前記可動接続部品はシリコンスリーブであってもよい、前記充填液はシリコンオイルであってもよい。
【００１０】
本発明のもう１つの実施形態として、
斜視自動検出機構を有する斜視検査機器であって、前部ハウジングと後部ハウジングで構成されるハウジング、前記ハウジングに設置される内部ハウジング及び前記接眼レンズの位置に対応するウィンドウを含み、
取得された視力検査データを収集、分析、かつ出力するために用いられるデータ収集装置、前記レンズ機構の一側に設置され、少なくとも片目を遮蔽し、もう一方の片目が検査されることを保証するために用いられる遮蔽装置、
及び前記レンズ機構、前記遮蔽装置と前記データ収集装置の協同作業を制御するために用いられる制御装置、が設置される。
【００１１】
説明すべきことは、前記データ収集装置は少なくとも１つのカメラ及び若干のガイドライトを含み、前記カメラ、若干の前記ガイドライトはそれぞれ前記内部ハウジングに設置される、ここで、前記カメラ、前記接眼レンズは前記レンズ機構と同一軸線に位置し、若干の前記ガイドライトは前記カメラを円心として外部へ円周式に分布して設置される、ことである。
【００１２】
説明すべきことは、前記遮蔽装置は回転モーター、遮蔽板及び位置制限センサーを含み、前記回転モーターの回転軸は遮蔽板に接続され、前記遮蔽板に位置制限ストリップが設置され、前記遮蔽板の状態が開いているか又は遮蔽されている時、前記位置制限ストリップは前記位置制限センサー内に位置する、ことである。
【００１３】
説明すべきことは、前記制御装置はマイクロプロセッサ及びディスプレイを含み、前記マイクロプロセッサはそれぞれ前記レンズ機構、前記遮蔽装置と前記データ収集装置に電気的に接続される、前記ディスプレイは前記検査データを表示するために用いられる、ことである。
【００１４】
本発明の検査機器の検査方法として、
斜視検査機器の検査方法であって、前記方法は、
Ｓ１ 両目がウィンドウから観察し、且つレンズ機構を通してデータ収集装置を注視する、
Ｓ２ 遮蔽装置は検査する必要のない片目を遮蔽し、もう一方の検査される片目はデータ収集装置を注視する、
Ｓ３ レンズ機構は起動し、かつ必要に応じて屈折角度を調整する、
Ｓ４ データ収集装置は検査される片目の視像データを収集する、
Ｓ５ 収集後のデータを出力する、ステップを含む。
【００１５】
説明すべきことは、検査される片目は検査中に前記データ収集装置の点滅ガイドライトを注視することである。
【００１６】
さらに説明すべきことは、前記屈折角度は複数回、連続して調整できることである。
【発明の効果】
【００１７】
本発明の有益な技術的効果は、
１、レンズ機構で構成され、０〜５０のプリズム度を自動的に制御して生成する、
２、体積が小さく、重量が軽く、その重量が一般的なガラスで製造された三角プリズムブロックより軽い、
３、製造コストが低く、価格が行ミラーの約５分の１である、ことである。
ここから分かるように、本発明の普及および応用は、三角プリズム分光検出又は分散原理に基づく様々な設備、機器を大幅に改善でき、かつ関連する機器、設備がインテリジェントな方向へ発展するのを支援する。
【図面の簡単な説明】
【００１８】
【図１】図１は本発明のレンズ機構、回転機構の構造模式図である。
【図２】図２は図１の構造爆発模式図である。
【図３】図３は図１、図２の回転機構の構造模式図である。
【図４】図４は本発明の斜視検査機器の構造模式図である。
【図５】図５は図４の内部ハウジングのメインビューである。
【図６】図６は図４の遮蔽装置の構造模式図である。
【発明を実施するための形態】
【００１９】
以下は図面を組み合わせて本発明をさらに説明し、説明すべきことは、以下の実施例は本技術的解決手段を前提とし、詳細な実施形態と具体的な操作プロセスを提供しているが、本発明の保護範囲は本実施例に限らないことである。
【００２０】
図１に示すとおり、本発明は斜視自動検出機構であり、筐体１、及び前記筐体１に設置される接眼レンズ２を含み、前記筐体１内に前記接眼レンズ２と同一軸線に位置するレンズ機構３が設置される。ここで、前記レンズ機構３には、屈折角度を調整するための回転機構４が設置される。
【００２１】
さらに、迅速な検査のニーズを満たすために、前記レンズ機構、回転機構、前記接眼レンズはペアで設置することができる。
【００２２】
さらに、図に示すとおり、前記レンズ機構３は第一レンズ群３１、第二レンズ群３２、可動接続部品５及び充填液を含み、前記第一レンズ群３１、前記第二レンズ群３２はそれぞれ前記可動接続部品５の両端に設置され、かつ前記第一レンズ群３１、前記第二レンズ群３２と前記可動接続部品５により内部密閉空間が形成される。前記回転機構４は前記第二レンズ群３２に接続される。前記充填液は前記密閉空間内に満たされる。
【００２３】
さらに、図２に示すとおり、前記第一レンズ群３１は第一密閉カバー３１１及びその中に取り付けられる第一レンズ３１２で構成され、前記第二レンズ群３２は第二密閉カバー３２１及びその中に取り付けられる第二レンズ３２２で構成される。前記可動接続部品５はそれぞれ前記第一密閉カバー３１１、前記第二密閉カバー３２１に密閉して接続される。前記回転機構４は前記第二密閉カバー３２１に接続される。
【００２４】
好ましい技術的解決手段として、前記可動接続部品はシリコンスリーブであってもよい、前記充填液はシリコンオイルであってもよい。
上記構造において、前記回転機構が回転する時、前記第二レンズ群は同期に回転する。第一レンズ群と第二レンズ群の間にシリコンスリーブの軟性材料が設置されているため、第二レンズ群が回転する時、第一レンズ群は回転しない。
【００２５】
図３に示すとおり、前記回転機構４はモーター４１、ウォーム４３、ウォームギア４４、回転台４５及び同期ベルト４６を含み、前記同期ベルト４６の両端はそれぞれ前記モーター４１の回転軸４２、前記ウォーム４３の一端に嵌設され、前記ウォームギア４４は前記ウォーム４３に噛み合って接続され、前記回転台４５は前記ウォームギア４４の底部に設置される。前記第二レンズ群は前記回転台４５に接続される。
【００２６】
本発明のもう１つの実施形態として、
図４に示すとおり、斜視自動検出機構を有する斜視検査機器であって、前部ハウジング１００と後部ハウジング１０１で構成されるハウジング、前記ハウジングに設置される内部ハウジング１０２及び前記接眼レンズ２の位置に対応するウィンドウ１０３を含み、
取得された視力検査データを収集、分析、かつ出力するために用いられるデータ収集装置、
前記レンズ機構３の一側に設置され、少なくとも片目を遮蔽し、もう一方の片目が検査されることを保証するために用いられる遮蔽装置６、
及び前記レンズ機構３、前記遮蔽装置６と前記データ収集装置の協同作業を制御するために用いられる制御装置、が設置される。
【００２７】
さらに、図４、図５に示すとおり、前記データ収集装置は少なくとも１つのカメラ７及び若干のガイドライト８を含み、前記カメラ、若干の前記ガイドライトはそれぞれ前記内部ハウジングに設置される。ここで、前記カメラ、前記接眼レンズは前記レンズ機構と同一軸線に位置し、若干の前記ガイドライトは前記カメラを円心として外部へ円周式に分布して設置される。
【００２８】
さらに、図６に示すとおり、前記遮蔽装置６は回転モーター６１、遮蔽板６２及び位置制限センサー６３を含み、前記回転モーター６１の回転軸は遮蔽板６２に接続され、前記遮蔽板６２に位置制限ストリップ６２１が設置され、前記遮蔽板６２の状態が開いているか又は遮蔽されている時、前記位置制限ストリップ６２１は前記位置制限センサー６３内に位置する。
【００２９】
図４に示すとおり、前記制御装置はマイクロプロセッサ及びディスプレイ１０４を含み、前記マイクロプロセッサはそれぞれ前記レンズ機構、前記遮蔽装置と前記データ収集装置に電気的に接続される。前記ディスプレイ１０４は前記検査データを表示するために用いられる。
【００３０】
説明すべきことは、好ましい状況において、レンズ機構は前部ハウジングと内部ハウジングの間に位置することである。
【００３１】
好ましい技術的解決手段として、本発明はさらに下顎挙上装置を設置することができ、該装置によりユーザーの頭部の高さを調整することができ、異なる人々のニーズを満たす。
【００３２】
本発明の検査機器の検査方法として、
斜視検査機器の検査方法であって、前記方法は、
Ｓ１ 両目がウィンドウから観察し、且つレンズ機構を通してデータ収集装置を注視する、
Ｓ２ 遮蔽装置は検査する必要のない片目を遮蔽し、もう一方の検査される片目はデータ収集装置を注視する、
Ｓ３ レンズ機構は起動し、かつ必要に応じて屈折角度を調整する、
Ｓ４ データ収集装置は検査される片目の視像データを収集する、
Ｓ５ 収集後のデータを出力する、ステップを含む。
説明すべきことは、検査される片目は検査中に前記データ収集装置の点滅ガイドライトを注視することである。
【００３３】
さらに説明すべきことは、前記屈折角度は複数回、連続して調整できることである。
【実施例】
【００３４】
ユーザーは顎を下顎挙上装置に置き、電源を起動し、検査する必要のある目を選択し（両目を検査する場合、順にすればよい）、この時、位置制限ストリップが位置制限センサーに垂直になるまで、遮蔽装置の遮蔽板は上向きに回転し、このように、検査を受ける必要のない（又は検査されるのを待っている）目は遮蔽される。
【００３５】
さらに、検査を受ける目はウィンドウを通してレンズ機構を観察し、かつデータ収集装置を注視し、検査を起動した後、データ収集装置の若干のガイドライトは一定のモードで点滅し、ユーザーの検査を受ける目は異なる位置で点滅するガイドライトに絶えず追い、この時にカメラは視像データを撮影する。
【００３６】
さらに、レンズ機構は回転機構の動作下で０〜５０プリズム度を調整することができ、具体的には、回転機構のモーターの回転軸が回転した後、同期ベルトを介してウォームを駆動し、ウォームがウォームギアと噛み合って接続されるため、ウォームギアが同期に回転し、それによりさらに回転台に接続されるレンズ機構を駆動する。さらに、レンズ機構の第一レンズ群と第二レンズ群の間にシリコンスリーブが接続されるため、回転台が第二レンズ群の回転を駆動する時には第一レンズ群に対して影響を与えない。さらに、第一レンズ群、第二レンズ群、シリコンスリーブの間に密閉空間が形成され、かつ密閉空間をシリコンオイルで満たしているため、第二レンズに回転が発生すると（垂直角度が変化する）、光が屈折し、最終的に屈折角度の変化を実現する。
【００３７】
最後に、検査を受ける目の検査が完了した後、データ収集装置はデータをコントローラーに出力し、かつコントローラーを介してディスプレイに表示する。
【００３８】
当業者であれば、以上の技術的解決手段と思想に基づき、様々な対応する変化を変形を行うことができ、すべてのこれらの変化と変形は、本発明の特許請求の保護範囲内に含まれるべきである。
【符号の説明】
【００３９】
１００：前部ハウジング
１０１：後部ハウジング
１０２：内部ハウジング
１０３：ウィンドウ
１０４：マイクロプロセッサ及びディスプレイ
２：接眼レンズ
３：レンズ機構
３１：第一レンズ群
３１１：第一密閉カバー
３１２：第一レンズ
３２：第二レンズ群
３２１：第二密閉カバー
３２２：第二レンズ
４：回転機構
４１：モーター
４２：回転軸
４３：ウォーム
４４：ウォームギア
４５：回転台
４６：同期ベルト
５：可動接続部品
６：遮蔽装置
６１：回転モーター
６２：遮蔽板
６２１：位置制限ストリップ
６３：位置制限センサー
７：カメラ
８：ガイドライト
【図１】
2021509827.tif 000003
【図２】
2021509827.tif 000004
【図３】
2021509827.tif 000005
【図４】
2021509827.tif 000006
【図５】
2021509827.tif 000007
【図６】
2021509827.tif 000008
【国際調査報告】
2021509827.tif 000009
2021509827.tif 000010
2021509827.tif 000011
2021509827.tif 000012
2021509827.tif 000013
2021509827.tif 000014